(57)【要約】【課題】照射範囲を大きく変更することができ、しかも、放熱構造が簡単な照明装置を提供すること。【解決手段】光源と、該光源に対する相対位置が固定され該光源からの光を反射する固定反射板１とを備え、前記光源からの光の反射光を外部に照射する照明装置において、前記光源と前記固定反射板１との間に入出可能に設けられ、前記光源からの光を反射する可動反射板２を備え、可動反射板２が光源と固定反射板１との間から退出している場合には、光源からの光が固定反射板１に投光され反射され、可動反射板２が光源と固定反射板１との間に進入する場合には、光源から固定反射板１の方向に投光される光が可動反射板２の反射面により反射される照明装置。【選択図】図２
2012064466.tif 000002
【特許請求の範囲】
【請求項１】
光源と、該光源に対する相対位置が固定され該光源からの光を反射する固定反射板とを備え、前記光源からの光の反射光を外部に照射する照明装置において、
前記光源と前記固定反射板との間に入出可能に設けられ、前記光源からの光を反射する可動反射板を備えることを特徴とする照明装置。
【請求項２】
前記可動反射板が有する反射面は、該可動反射板が前記光源と前記固定反射板との間から退出した位置で、前記固定反射板が有する反射面と連続するように構成してあることを特徴とする請求項１記載の照明装置。
【請求項３】
前記可動反射板は複数設けられ、該可動反射板の夫々が前記光源と前記固定反射板との間に進入した位置で、該可動反射板の夫々が有する反射面が連続するように構成してあることを特徴とする請求項２記載の照明装置。
【請求項４】
前記固定反射板又は可動反射板からの反射光の光路を遮る位置に設けられ、該位置に固定される固定部と該固定部に着脱自在に取り付けられた取付部とを有し、入射する光を拡散する拡散板を備えることを特徴とする請求項１から３の何れか一項に記載の照明装置。
【請求項５】
前記光源は、ＬＥＤであることを特徴とする請求項１から４の何れか一項に記載の照明装置。
【発明の詳細な説明】
【技術分野】
【０００１】
本発明は照明装置に関する。
【背景技術】
【０００２】
従来、複数の配光を実現する照明装置がある（例えば、特許文献１、２参照）。特許文献１には、ランプの周囲にあるリフレクタの形状を変化させて配光制御する照明装置が開示されている。
【０００３】
また、特許文献２には、変形可能な基板に複数の発光素子を実装してなる光源を湾曲させて支持し、湾曲の程度を変えることにより、照射範囲を変更する照明装置が開示されている。
【先行技術文献】
【特許文献】
【０００４】
【特許文献１】特開２００４−１６４８８７号公報
【特許文献２】特開２００５−１６６４２６号公報
【発明の概要】
【発明が解決しようとする課題】
【０００５】
しかしながら、特許文献１に開示の照明装置は、反射板の形状を変化させるため、照射範囲を大きく異ならせることはできない。特に、ランプに代えて最近良く用いられているＬＥＤ等の照射範囲が狭い発光素子を用いる場合には、十分に広い照射範囲を得ることができない。このため、狭い照射範囲から広い照射範囲まで、照射範囲を大きく異ならせることが難しい。
【０００６】
また、特許文献２に開示の照明装置は、発光素子が実装された基板を湾曲させる。このため、発光素子からの熱を十分に放熱するためには、湾曲に応じた放熱構造を考慮しなくてはならず、放熱構造が複雑になる虞がある。
【０００７】
本発明は斯かる事情に鑑みてなされたものであり、照射範囲を大きく変更することができ、しかも、放熱構造が簡単な照明装置を提供することを目的とする。
【課題を解決するための手段】
【０００８】
本発明に係る照明装置は、光源と、該光源に対する相対位置が固定され該光源からの光を反射する固定反射板とを備え、前記光源からの光の反射光を外部に照射する照明装置において、前記光源と前記固定反射板との間に入出可能に設けられ、前記光源からの光を反射する可動反射板を備えることを特徴とする。
【０００９】
本発明にあっては、光源と、光源に対する相対位置が固定され光源からの光を反射する固定反射板との間に、可動反射板を入出可能に設ける。可動反射板が光源と固定反射板との間から退出している場合には、光源からの光が固定反射板に投光され反射される。可動反射板が光源と固定反射板との間に進入する場合には、光源から固定反射板の方向に投光される光が可動反射板の反射面により反射される。この反射光は、固定反射板による反射光の照射方向とは異なる方向に照射される。これにより、照明装置からの光の照射範囲を大きく変更することができる。さらに、光源の配置及び形状は照明装置の中で変化させる必要がないので、放熱構造を複雑にすることなく、光源の熱を放熱することができる。
【００１０】
また、本発明に係る照明装置は、前記可動反射板が有する反射面は、該可動反射板が前記光源と前記固定反射板との間から退出した位置で、前記固定反射板が有する反射面と連続するように構成してあることを特徴とする。
【００１１】
本発明にあっては、可動反射板が、光源と固定反射板との間から退出した位置で、可動反射板の反射面と固定反射板の反射面とが連続する。これにより、照明装置から照射する光の照射範囲を大きくする際に、照射範囲を分散することなく連続する形にすることができる。
【００１２】
また、本発明に係る照明装置は、前記可動反射板は複数設けられ、該可動反射板の夫々が前記光源と前記固定反射板との間に進入した位置で、該可動反射板の夫々が有する反射面が連続するように構成してあることを特徴とする。
【００１３】
本発明にあっては、可動反射板が、光源と固定反射板との間に進入している位置で、複数の可動反射板が有する反射面が連続する。これにより、光源から固定反射板の方向に投光される光が可動反射板により反射され、照明装置の外部に対して照射される。したがって、照明装置が照射する光の照射範囲を整った形で小さくすることができる。
【００１４】
また、本発明に係る照明装置は、前記固定反射板又は可動反射板からの反射光の光路を遮る位置に設けられ、該位置に固定される固定部と該固定部に着脱自在に取り付けられた取付部とを有し、入射する光を拡散する拡散板を備えることを特徴とする。
【００１５】
本発明にあっては、取付部を取り付けている場合には、取付部に入射される光が拡散され、取付部が取り外されている場合には、取付部が取り付けられていた位置に入射される光は拡散されないので、照明装置からの光の照射範囲を異ならせることができる。
【００１６】
また、本発明に係る照明装置は、前記光源が、ＬＥＤであることを特徴とする。
【００１７】
本発明にあっては、照射範囲が狭いＬＥＤであっても、照射範囲を大きく変更することができるので、低消費電力を実現することができる。
【発明の効果】
【００１８】
本発明によれば、照射範囲を大きく変更することができ、しかも、放熱構造が簡単な照明装置を提供することができる。
【図面の簡単な説明】
【００１９】
【図１】本実施の形態に係るＬＥＤ照明装置を斜め下側から見た斜視図である。
【図２】本実施の形態に係るＬＥＤ照明装置の模式的縦断面図である。
【図３】可動反射板の位置を変更する構成を説明する図である。
【図４】取付部がツメにより着脱可能に取り付けられていることを説明する図である。
【図５】ＬＥＤ照明装置により実現される３つの照射範囲を説明する図である。
【発明を実施するための形態】
【００２０】
以下、本発明の実施の形態を図面に基づいて詳述する。以下の実施の形態では、照明装置としてＬＥＤシーリングライトを例に説明する。ＬＥＤシーリングライトは、低消費電力のＬＥＤを光源として備え、天井に直接取り付ける照明装置である。なお、本発明の実施の形態は、ＬＥＤシーリングライトに限らない。ＬＥＤに代えてランプ等の他の光源を用いる照明装置でもよく、ダウンライト型等の他の型の照明装置でもよい。
【００２１】
図１は、本実施の形態に係るＬＥＤ照明装置１０を斜め下側から見た斜視図である。また、図２は、ＬＥＤ照明装置１０の模式的縦断面図である。
【００２２】
ＬＥＤ照明装置１０は、固定反射板１、可動反射板２、拡散カバー３、光源４、駆動部５、及び、支持板８（図３参照）を備えている。
【００２３】
支持板８は、円板状をなしている。光源４は、円筒状の基板４１とＬＥＤ４２とを備える。ＬＥＤ４２は、基板４１の外周面に実装されている。ＬＥＤ４２は、基板４１の外周面に周方向に等配をなして実装されるとよい。光源４は、基板４１と支持板８とが同軸をなすように支持板８の一面に取り付けられている。なお、支持板８は楕円板状又は矩形板状等の他の板状をなしてもよく、基板４１は楕円筒状又は角筒状等の他の筒状をなしてもよい。
【００２４】
固定反射板１は、ドーム形の頂部を軸心に直交する方向に切断してなる孔が開設された略ドーム形をなしている。固定反射板１は、略ドーム形と支持板８とが同軸をなすように、孔の周縁が、支持板８の外周に取り付けられている。
【００２５】
固定反射板１の軸長方向の長さは、基板４１の一部を覆い隠すようになしてある。固定反射板１は、光源４に対する相対位置が変更されない。略ドーム形の内面には、反射面が形成されている。
【００２６】
可動反射板２は、固定反射板１よりも光源４の近傍に配置されている。可動反射板２は、複数設けられ、支持板８の外周の周方向に連なっている。複数の可動反射板２は、周方向に等配をなして取り付けられるとよい。可動反射板２は、光源４と固定反射板１との間に入出可能に構成され、それぞれが後述するように動く。
【００２７】
図２では、可動反射板２が光源４と固定反射板１との間から退出している位置を実線で、進入している位置を２点鎖線で示す。図２の実線の位置では、可動反射板２の反射面が、固定反射板１の反射面と連続している。図２の２点鎖線で示す位置では、可動反射板２の反射面は、固定反射板１の反射面とは連続しない。
【００２８】
図１Ａは、可動反射板２が光源４と固定反射板１との間に進入している場合の斜視図である。図１Ａでは、複数の可動反射板２の反射面が、互いに隣接する他の可動反射板２の反射面と連続し、取り付けられた支持板８に対向する側に開く傘形をなしている。
【００２９】
固定反射板１、及び、可動反射板２が有する反射面は、例えば、基材の表面に光拡散性塗料がコーティングされている。光源４からの出射光は、固定反射板１及び可動反射板２の方向に投光され、反射された後、ＬＥＤ照明装置１０から外部に照射される。
【００３０】
図３は、可動反射板２の位置を変更する構成を説明する図である。可動反射板２は、反射部２１と、支持部２２とを備える。可動反射板２は、反射部２１と反射部２１に略直交する支持部２２とを含む、Ｌ字形の断面を有する。
【００３１】
可動反射板２は、反射部２１と支持部２２との略直交する部分を枢軸として、揺動可能に支持板８の外周面に取り付けられている。図１Ａ及び図２に示す矢印ａは、可動反射板２の揺動の方向である。
【００３２】
図３Ａは、可動反射板２が、光源４と固定反射板１との間から退出した位置（図２の実線で示す可動反射板２の位置）を示す図である。図３Ａでは、可動反射板２は、反射部２１が有する反射面が固定反射板１の反射面と連続している。
【００３３】
図３Ｂは、反射部２１が、光源４と固定反射板１との間に進入している位置（図２の２点鎖線で示す可動反射板２の位置）を示す。
【００３４】
駆動部５は、可動反射板２の位置を変更するために設けられている。駆動部５は、ねじ軸５１、ワイヤー５２、及び、昇降板５３を備える。ねじ軸５１は、支持板８の光源４が取り付けられた面とは異なる面の中心に垂直に立ち上がるように設けられ、外周面には、螺子山が形成されている。昇降板５３は、中央に貫通された孔に螺子溝が形成され、螺子溝は、ねじ軸５１の螺子山と螺合している。ねじ軸５１を一方向に回転させることにより、昇降板５３が、ねじ軸５１の軸長方向に移動する。
【００３５】
ワイヤー５２は、可動反射板２毎に設けられ、それぞれのワイヤー５２の一端が昇降板５３に、他端が可動反射板２の支持部２２に取り付けられている。
【００３６】
可動反射板２を、光源４と固定反射板１との間に入出させる動作について、以下、詳細を説明する。図３Ａは、可動反射板２が光源４と固定反射板１との間から退出している状態を示し、図３Ｂは、可動反射板２が光源４と固定反射板１との間に進入している状態を示す。
【００３７】
図３Ａに示す昇降板５３の位置は、図３Ｂに示す位置よりも、支持板８に対して遠方である。支持部２２がワイヤー５２に引かれることにより、可動反射板２は、光源４と固定反射板１との間から退出している。図３Ａに示す位置の場合に、ねじ軸５１を一方向に回転させることにより、昇降板５３が図３Ｂに示す位置に移動する。これにより、ワイヤー５２が支持部２２を引く力が減り、可動反射板２は、反射部２１の自重により枢軸を中心として矢印ａの方向に揺動し、光源４と可動反射板２との間に反射部２１が進入する。
【００３８】
図３Ｂに示す位置の場合に、ねじ軸５１を他方向に回転させることにより、昇降板５３が図３Ａに示す位置に移動する。これにより、ワイヤー５２が支持部２２を引き、可動反射板２は、枢軸を中心として揺動し、光源４と可動反射板との間から反射部２１が退出する。
【００３９】
なお、支持部２２と昇降板５３との連結は、ワイヤー５２に代えて、棒等の剛体を用いてもよい。剛体により連結される場合には、昇降板５３が下降すると、支持部２２の棒が取り付けられた上端が、昇降板５３から遠い方向に押し出される。これにより、可動反射板２は、枢軸を中心に揺動し、反射部２１が、図３Ａの位置から図３Ｂの位置へ移動する。
【００４０】
拡散カバー３は、略円形状をなし、外周が固定反射板１の下部に取り付けられ、固定反射板１が有する反射面と対向する。拡散カバー３は、可動反射板２が図３Ｂの位置で形成する傘形の開口端に接するように設けられる。なお、拡散カバー３は、矩形状等の他の形状でもよい。
【００４１】
拡散カバー３は、固定部３１と取付部３２とを有する。固定部３１と取付部３２とは、例えば、樹脂等の可撓性を備えた材料で構成されている。
【００４２】
固定部３１は、略円形状の中央が円状にくり抜かれた形をなしている。固定部３１のくり抜かれた孔の周縁部に、取付部３２を取り付けるための複数のツメが立設されている。ツメは、くり抜かれた孔の周方向に適長離隔して設けられるとよい。
【００４３】
取付部３２は、固定部３１のくり抜かれた孔と略同形の円状をなしている。取付部３２は、固定部３１のツメにより、固定部３１に嵌め込まれた状態で取り付けられている。
【００４４】
図４は、取付部３２がツメにより着脱可能に取り付けられていることを説明する図である。図４Ａは、取り付けた状態を、図４Ｂは、取り外した状態を示す。矢印ｂは、固定部３１のツメが押し広げられる方向を示す。ツメを矢印ｂの方向に押し広げることにより、取付部３２を固定部３１から取り外すことができる。
【００４５】
固定部３１のくり抜かれた孔は、可動反射板２が図１Ａに示す位置で形成する傘形の開口にほぼ等しい大きさに形成されるとよく、又は、傘形の開口より若干大きく形成されるとよい。また、取付部３２は、固定反射板１及び可動反射板２の反射光の光路に係らない部分が、くり抜かれた構造を有してもよく又は光が遮蔽される部材により形成されてもよい。
【００４６】
図１Ｂでは、取付部３２が取り外されている状態を示す。また図２では、取り付けられている取付部３２を実線で、取り外されている取付部３２を２点鎖線で示す。
【００４７】
図５は、ＬＥＤ照明装置１０により実現される３つの照射範囲を説明する図である。
【００４８】
図５Ａは、可動反射板２が、光源４と固定反射板１との間から退出している状態を示す図である。図５Ａでは、可動反射板２の位置は、図３Ａの位置にある。図５Ａでは、また、拡散カバー３の取付部３２が、固定部３１に取り付けられている。すなわち、図４Ａの状態である。
【００４９】
図５Ａでは、固定反射板１及び可動反射板２の両方の反射板による反射光が、拡散カバー３により拡散されてＬＥＤ照明装置１０から照射される。したがって、光源４からの光は、ＬＥＤ照明装置１０が有する反射板の反射面をほぼ最大限に用いて反射され、さらに拡散カバー３により拡散される。これにより、照射範囲の狭いＬＥＤ素子を用いて広い範囲を照射することができる。また、固定反射板１と可動反射板２との反射面が連続することにより、照射範囲が分散することなく連続した形になる。
【００５０】
図５Ｂは、可動反射板２が、光源４と固定反射板１との間に進入している状態を示す図である。図５Ｂでは、可動反射板２は、図３Ｂの位置にある。図５Ｂでは、また、拡散カバー３の取付部３２が、固定部３１に取り付けられている。すなわち、図４Ａの状態である。
【００５１】
図５Ｂでは、光源４からの光は、ほぼ全てが、可動反射板２により反射され、固定反射板１には照射されない。また、互いに隣接する可動反射板２の反射面が連続して傘形をなしている。したがって、光源４からの光の反射光は、図５Ａに比べて、狭い範囲に照射される。互いに隣接する可動反射板２の反射面が連続していることにより、さらに、ＬＥＤ照明装置１０の照射光による照射範囲が整った形になる。
【００５２】
図５Ｃでは、可動反射板２が、光源４と固定反射板１との間に進入している状態を示す図である。図５Ｃでは、可動反射板２は、図３Ｂの位置にある。図５Ｃでは、また、拡散カバー３の取付部３２が、固定部３１から取り外されている。すなわち、図４Ｂの状態である。
【００５３】
図５Ｃでは、取付部３２の大きさが、可動反射板２の反射面がなしている傘形の開口にほぼ等しく、また拡散カバー３が可動反射板２の反射面が形成する傘形の開口の端にほぼ接するように設けられているので、可動反射板２による反射光は、傘形の開口を通過する。これにより、反射光が拡散カバー３により拡散されることなく、ＬＥＤ照明装置１０から照射される。したがって、図５Ｂよりもさらに、狭い照射範囲を得ることができる。
【００５４】
ＬＥＤ照明装置１０により照射される光の照射範囲は、図５では、図５Ａの状態が最も広範囲であり、図５Ｂ、図５Ｃの順に照射範囲が狭くなる。
【００５５】
本実施の形態によれば、例えば、ＬＥＤ４２が実装された基板４１の裏側にヒートシンクを設けて放熱フィンを立てる構成により、ＬＥＤ４２の発熱を簡単な構成で確実に放熱することができる。
【００５６】
以上、発明を実施するための形態について説明を行ったが、本発明は、この発明を実施するための形態で述べた実施形態に限定されるものではない。本発明の主旨をそこなわない範囲で変更することが可能である。
【符号の説明】
【００５７】
１      固定反射板
２      可動反射板
３      拡散カバー
４      ＬＥＤ
５      駆動部
８      支持板
１０    ＬＥＤ照明装置
【図１】
2012064466.tif 000003
【図２】
2012064466.tif 000004
【図３】
2012064466.tif 000005
【図４】
2012064466.tif 000006
【図５】
2012064466.tif 000007